【事件の表示】
　特許第３２９７９７１号「電子血圧計」の請求項１ないし３に係る特許に対する特許異議の申立てについて、次のとおり決定する。
【結　論】
　訂正を認める。
　特許第３２９７９７１号の請求項１ないし２に係る特許を取り消す。
【理　由】
１．手続の経緯
　特許第３２９７９７１号の請求項１ないし４に係る発明は、平成７年２月１６日に特許出願され、平成１４年４月１９日にその特許権の設定登録がされ、その後異議申立人松下電工株式会社により請求項１ないし３に対して特許異議の申立て（請求項１、２は特許法第２９条第２項違反、および請求項１−３は特許法第２９条の２違反という申立て）がなされ、取消しの理由が通知され、その指定期間内である平成１５年５月２日に訂正請求がされた後、訂正拒絶理由が通知され、平成１５年８月２５日に手続補正書が提出されたものである。
　
２．訂正の適否についての判断
ア．訂正請求に対する補正の適否について
　特許権者は、訂正請求書で訂正した明細書の特許請求の範囲の請求項３を削除、及びこの削除に伴い請求項４を請求項番号を繰り上げて請求項３とする補正を行ったものであり、当該訂正請求に対する補正は、訂正請求書の要旨を変更するものでなく、特許法第１２０の４第３項において準用する同法第１３１条第２項の規定に適合する。
　
イ．訂正の内容
　特許権者が求めている訂正の内容（平成１５年８月２５日に手続補正書で補正された訂正の内容である）は以下のａ，ｂ，ｃ，ｄ，ｅのとおりである。　　
　訂正事項ａ
　特許請求の範囲の請求項１−４
「【請求項１】 手首に血圧計本体を装着し、前記手首の脈波情報を抽出する脈波情報抽出手段と、抽出された脈波情報に基づいて血圧あるいは血管情報を測定する測定手段とを備える手首用電子血圧計において、測定者の姿勢を検出する姿勢検出手段と、検出した姿勢により、測定の適否を判定する適否判定手段とを備えたことを特徴とする手首用電子血圧計。
【請求項２】前記姿勢検出手段は、測定部位の高さを検出する手段である請求項１記載の手首用電子血圧計。
【請求項３】前記高さ検出手段は、血圧計本体に傾きセンサを具備し、この傾きセンサにより、前記血圧計本体を装着した手首の腕の肘を机に載置した時の、机の面と肘との角度を検出し、傾きと、心臓と血圧計本体の高さの差との関係により、前記検出した角度から、心臓と血圧計本体の高さの差を検出することを特徴とする請求項２記載の手首用電子血圧計。
【請求項４】前記姿勢検出手段は、心音センサである請求項１記載の電子血圧計。」
　を、
「【請求項１】手首に血圧計本体を装着し、前記手首の脈波情報を抽出する脈波情報抽出手段と、抽出された脈波情報に基づいて血圧あるいは血管情報を測定する測定手段と、測定した血圧あるいは血管情報を表示する表示手段とを備える手首用電子血圧計において、測定者の測定部位の高さを検出する高さ検出手段と、検出した測定部位の高さにより測定の適否を判定する適否判定手段とを備え、判定した測定の適否を前記表示手段に表示することを特徴とする手首用電子血圧計。
【請求項２】前記適否判定手段により測定部位の高さが適正でないと判定された場合に、適正でない状態表示用のシンボルを前記表示手段に表示することを特徴とする請求項１記載の手首用電子血圧計。」
【請求項３】前記高さ検出手段は、心音センサである請求項１記載の手首用電子血圧計。」
　と訂正する。
　
　訂正事項ｂ
　明細書段落番号０００５を請求項１の訂正に伴う整合を図るための訂正をする。
　
　訂正事項ｃ
　明細書段落番号００１１において「最高血圧」とあるのを「最低血圧」と訂正する。
　
　訂正事項ｄ
　明細書の段落番号００１７の記載を請求項１の訂正に伴う整合を図るための訂正をする。
　
　訂正事項ｅ
  明細書の段落番号００１７において「測定不否」とあるのを「測定可否」と訂正する。
　
ウ．訂正の目的の適否、新規事項の有無及び拡張・変更の存否
　訂正事項ａについて
　訂正事項ａにおいて、平成１５年８月２５日の手続補正書で補正された訂正明細書（以下、単に訂正明細書という）の請求項１、２は、訂正前の請求項１、２それぞれに対して構成要件を加えてなるものであり、訂正明細書の請求項１を引用する請求項３は、訂正前の請求項４を、請求項番号を繰り上げて請求項３にと訂正したものである。
　したがって、訂正事項ａは特許請求の範囲の減縮を目的とした明細書の訂正に該当し、また、本件出願当初の明細書には、「測定した血圧あるいは血管情報を表示する表示する手段」および「判定した測定の適否を前記表示手段に表示する」ことが記載されているから、前記構成要件を加えた点は、新規事項の追加に該当せず、訂正事項ａは、実質上特許請求の範囲を拡張し、又は変更するものではない。
　
　訂正事項ｂ，ｃ，ｄ，ｅについて
　いずれも明瞭でない記載の釈明又は誤記の訂正を目的とするものと認められ、いずれも特許請求の範囲を拡張し又は変更するものではない。
　
エ．独立特許要件
　訂正明細書の請求項３は、訂正前の請求項４の訂正に係るものであるから、特許異議申立がされていない請求項についての訂正であって、特許請求の範囲の減縮を目的としたものに該当するから、訂正明細書の請求項３に係る発明の独立特許要件について検討する。
　訂正明細書の請求項１を引用する請求項３に係る発明は、訂正明細書の特許請求の範囲の請求項３に記載のとおりのものであって（上記訂正の内容の訂正事項ａを参照）、同請求項１に係る発明の構成要件を全て含むものである。
　そして、当該請求項３に係る発明は、同請求項１記載の電子血圧計において、さらに「高さ検出手段は、心音センサである」と高さ検出手段の限定を付加したしたところに特徴があり、この特徴事項は新規であり、容易に想到できたものでもないから、当該請求項３に係る発明は、当業者が容易に発明できたと認めることができない。
　したがって、訂正明細書の請求項３に係る発明は、出願の際、独立して特許を受けることができるものである。
　
オ．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
（１）申立の概要
　申立人松下電工株式会社は、下記の甲第１号証により、請求項１，２に係る発明の特許は、特許法第２９条第２項の規定に違反してなされたものであるから取り消すべき旨主張し、また、下記の甲第２号証により請求項１，２，３に係る発明の特許は、特許法第２９条の２の規定に違反してなされたものであるから取り消すべき旨主張している。
　甲第１号証：特開平５−２００００３号公報
　甲第２号証：特開平７−１４３９７０号公報
　
（２）訂正明細書による訂正前請求項３の削除
　訂正明細書で訂正前の請求項３の削除を行い、訂正前の請求項４を、請求項番号を繰り上げて請求項３にする訂正を行ったから、異議申立についての判断対象として残るのは請求項１，２に係る発明の特許だけである。
　
（３）請求項１、２に係る発明
　本件特許第３２９７９７１号の請求項１、２に係る発明は、訂正明細書の特許請求の範囲の請求項１、２に記載された事項により特定されるとおりのものである（上記２．イ．訂正の内容の訂正事項ａを参照）。
　
（４）請求項１の発明について
　当審が通知した取消の理由に引用された刊行物１（甲第１号証）には、
「【０００５】【課題を解決するための手段】本発明は、人体の手首……のような要部１に取付けた圧迫阻血するカフ帯部２と、人体の心臓の高さ位置に設置される高さ合わせ部３と、カフ帯部２または高さ合わせ部３のいずれか一方に発光部４を設け、発光部４より略水平に発光させる手段を備えて成ることを特徴とするものである。」、
「【０００６】また、カフ帯部２または高さ合わせ部３のいずれか一方に発光部４を、他方に受光部５を設け、発光部４からの発光を受光部５にて受光した際に報知する報知手段６を備えて成ることを特徴とするものである。また、発光部４からの発光をスリットＳを介して略水平になす手段を備えて成ることを特徴とするものである。」、
「【００１３】……ブザーのような報知手段６に報知させるようにしたものである。つまり、カフ帯部２と高さ合わせ部３の水平レベルが一致したときに、高さ合わせが完了したことを報知するようにしたものである。……」、　が記載されている。
　そこで、請求項１に係る発明と刊行物１に記載の発明とを対比すると、両者は、手首に血圧計本体を装着し、前記手首の脈波情報を抽出する脈波情報抽出手段と、抽出された脈波情報に基づいて血圧を測定する測定手段とを備える手首用電子血圧計において、測定者の測定部位の高さを検出する高さ検出手段と、検出した測定部位の高さにより測定の適否を判定する適否判定手段とを備え、判定した測定の適否を報知することを特徴とする手首用電子血圧計」である点で一致し、次の相違点１，２において相違する。
　（相違点１）
　請求項１に係る発明は、測定した血圧を表示する表示手段とを備える手首用電子血圧計であるのに、刊行物１に記載の発明は、測定した血圧を表示する表示手段について記載がない点。
　（相違点２）
　検出した測定部位の高さにより測定の適否を判定をした際に、判定した測定の適否を報知することに関して、請求項１に係る発明は、その適否の報知を血圧を表示する表示手段に表示することで行うのに対し、刊行物１に記載の発明は、その適否の報知をブザーにより行うものである点。
　（相違点１について）
　手首用電子血圧計において、測定結果の表示をする必要があることは、当然のことであるから、刊行物１に記載がなくても、刊行物１の手首用電子血圧計に測定結果の表示装置が備えられているのは自明のことであるから、相違点１は実質的な相違点ではない。
　（相違点２について）
　手首、上腕等にカフ帯を巻き付けて血圧を測定する技術分野において、血圧測定が正確に行われる測定条件が整っているかどうかの適否判定の結果を利用者に報知するのに際し、ブザーで報知しても、表示部に表示させることで報知してもいずれでもよいこと、および、この適否判定の結果の利用者への表示による報知を血圧値の表示手段と同じ表示手段に表示することで行ってよいことがいずれも従来周知（従来周知の例として特開平５−２００００４号公報の「【０００８】【実施例】……カフ帯１の上には体動を検知するための加速度センサー２が設置してあり、…。…加速度の大きさにしたがって制御部６から報知手段７（例えばブザー）を制御して報知するようになっている……」、「【００１１】……加速度センサー２で検知した体動を報知する部分が血圧値、脈動値の表示部分と同じ表示手段１５において表示される……」という記載、および特開平５−３２９１１１号公報の「【００１３】……最高・最低血圧値を表示部１ａに表示するものである。……」、「【００１６】……使用者が測定部分に対してカフ帯の巻付けを締めつけ過ぎたり、緩く巻いたりした場合、……圧計本体１内に回路構成された動作制御部により表示部への表示又はブザー等により、使用者にその旨を報知する手段を設けても良い……」という記載を参照）と認められるから、刊行物１に記載された発明において、検出した測定部位の高さにより測定の適否を判定をした際に、判定した測定の適否の報知を血圧を表示する表示手段に表示することで行うことは当業者が容易に想到し得るものである。
　したがって請求項１の発明は、刊行物１（甲第１号証）に記載された発明及び従来周知技術に基づいて当業者が容易に発明できたものである。
　
（５）請求項２の発明について
　請求項２の発明は、請求項１の発明において判定した測定の適否の表示手段への表示に関して、適正でない場合に、適正でない状態表示用のシンボルを表示すると限定したものであるが、適否判定で否である場合に、その表示を否という文字で表示するか、まだ適になっていないと表示するか、シンボルで表示するかは当業者が必要に応じて適宜選択できたものと認められるから、請求項２に記載の発明は、請求項１の発明について記載したと同様に、刊行物１（甲第１号証）に記載された発明及び従来周知技術に基づいて当業者が容易に発明できたものである。
　
（６）むすび
　以上のとおりであるから、請求項１，２に係る発明の特許は、特許法２９条第２項の規定に違反してなされたものである。
　したがって、特許法第２９条の２についての違反の有無を判断するまでもなく、請求項１，２に係る発明の特許は、特許法第１１３条第２号に該当し、取り消されるべきものである。
　よって結論のとおり決定する。
【異議決定日】
平成１５年９月１２日（２００３．９．１２）
【訂正の要旨】
審決（決定）の【理由】欄参照。
（５４）【発明の名称】
電子血圧計
（５７）【特許請求の範囲】
　【請求項１】
　手首に血圧計本体を装着し、前記手首の脈波情報を抽出する脈波情報抽出手段と、抽出された脈波情報に基づいて血圧あるいは血管情報を測定する測定手段と
、測定した血圧あるいは血管情報を表示する表示手段と
　測定者の
測定部位の高さ
高さ検出手段
測定部位の高さ
り測
、判定した測定の適否を前記表示手段に表示する
　【請求項２】
　
前記適否判定手段により測定部位の高さが適正でないと判定された場合に、適正でない状態表示用のシンボルを前記表示手段に表示することを特徴とする
　【請求項３】
　前記
高さ検出手段
手首用
【発明の詳細な説明】
　【０００１】
　【産業上の利用分野】
　この発明は、高さが心臓の高さよりずれた場合に、測定者がこれを知り得、正しい測定を行い得る手首用電子血圧計に関する。
　【０００２】
　【従来の技術】
　一般に血圧計は、カフを心臓と同じ高さ位置にして測定する必要がある。しかし、手首用の電子血圧計、指用の電子血圧計等は、カフ（主として本体と一体）を自由に動き得る部位に装着するものであるために、心臓と同じ高さの位置に設置されずに、測定誤差を生じることがある。このような、不具合を避けるために、従来、手首・指カフと心臓の位置の関係（高さの差）を使用者が設定、入力し、その設定値に応じた補正値を血圧決定手段により得られた血圧値に対し、補正の演算処理を行っている。
　【０００３】
　【発明が解決しようとする課題】
　上記した従来の電子血圧計では、使用者が手首、指カフと心臓との位置関係を正しく計測することは困難である上に、測定毎にその関係値を入力する必要があり、使用上、煩わしいし、操作ミスからかえって血圧測定誤差が発生することもあり、実使用上では手間がかかり、人的誤差が発生するという問題があった。
　【０００４】
　この発明は、上記問題点に着目してなされたものであって、測定者が正しい姿勢で測定していないと、これを検出し、これを報知し、正しい姿勢とする機会を与え、結果として高精度に測定し得る電子血圧計を提供することを目的としている。
　【０００５】
　【課題を解決するための手段及び作用】
　この発明の手首用電子血圧計は、
手首に血圧計本体を
前記手首
、測定した血圧あるいは血管情報を表示する表示手段と
測定部位の高さ
高さ検出手段
測定部位の高さ
り測
、判定した測定の適否を前記表示手段に表示することを特徴としている。
　【０００６】
　この手首用電子血圧計では、
高さ検出手段で
測定部位の高さ
測定部位の高さ
高さ
表示手段に表示する
測定部位の高さ
測定部位の高さ
　【０００７】
　【実施例】
　以下、実施例により、この発明をさらに詳細に説明する。
　図１は、この発明の一実施例を示す手首用電子血圧計の構成を示すブロック図である。
　この電子血圧計は、脈波センサ１と、検出された脈波をデジタル信号に変換するＡ／Ｄ変換器２と、血圧測定のための処理を実行するＭＰＵ（マイクロプロセッサ・ユニット）３と、測定した血圧値、脈拍数等を表示する表示器４と、他の回路各部に電源電圧を供給する電源回路５と、電源スイッチ６と、スタートスイッチ７と、高さを検出するための傾きセンサ８と、報知用のブザー９と、メモリ１０とを備えている。
　【０００８】
　もっとも、これらの基本的な回路構成は、傾きセンサ８を除いて従来のものと特に変わることはない。また、図示はしていないが、構造的に本体に表示器が付設され、カフも本体に一体的に構成されている。
　表示器４は、例えば液晶表示パネルを使用し、血圧値、脈拍数等の数値、文字の他に本体の高さが適正でない場合に、その旨等、種々の指示、状態表示用のシンボルも表示できるものである。
　【０００９】
　ここで、傾きと高さの関係について説明する。今、図２に示すように、手首１１に血圧計本体１２を装着した状態で、ヒジ１３の手元を机１４に載置し、机の面とヒジ１３のなす角度をθとする。ここで、心臓１５と血圧計本体１２（測定部位）の高さの差Ｈとすると、傾きθと高さの差Ｈとの関係は、図３に示すものとなる。これより、傾きθが検出できれば、高さの差Ｈを知ることができる。つまり、傾きセンサによって高さを検出できる。高さの差が得られれば、図４より血圧誤差が求まる。したがって、血圧誤差が±Ｐｅを超える程、高さの差Ｈが大であると、この状態では測定部位の高さ、つまり姿勢が正しくないことを意味する。したがって、その旨を表示器４、ブザー９で報知すれば、測定者は測定部位の高さ、つまり姿勢が正しくないことを知り得、正しくなるように測定部位を動かすことができる。
　【００１０】
　次に、この実施例電子血圧計の測定動作を図５に示すフローチャートより説明する。電源スイッチ６がＯＮされると、回路の初期化処理がなされる（ステップＳＴ１）。そして、傾きセンサ８でその時の本体１２の傾きθが検出され、Ａ／Ｄ変換器２を介してＭＰＵ３に取り込まれ、メモリ１０に傾きθとして記憶される（ステップＳＴ２）。次に傾きθが所定値ａより小さいか判定する（ステップＳＴ３）。傾きθがａより小さい場合は、ＳＴ３の判定ＹＥＳで、ブザー９を鳴らすとともに“カフ位置低い”の表示を表示器４に行う（ステップＳＴ４）。ＳＴ３で傾きθがａよりも大きい場合は、次にθが所定値ｂ（ａ＜ｂ）より大きいかを判定する（ステップＳＴ５）。傾きθがｂより大きい場合、判定ＹＥＳでブザー９を鳴らすとともに“カフ位置高い”の表示を表示器４に行う（ステップＳＴ６）。傾きθがａ≦θ≦ｂであれば、ブザー９を鳴らすことなく、次にスタートスイッチ７がＯＮされるまで待機する（ステップＳＴ７）。スタートスイッチ７がＯＮされると、測定が開始される（ステップＳＴ８）。
　【００１１】
　この血圧測定は、通常、良く知られた手法でなされるものであり、例えば、カフで手首を圧迫し、所定のカフ圧までカフを加圧した後、減圧に入り、その一連の加圧及び減圧の過程で、脈波センサ１により検出される脈波振幅の列データと、カフ圧から最高血圧ＳＹＳを決定し、表示器４に表示する（ステップＳＴ９）とともに、
最低
　【００１２】
　図６は、この発明の他の実施例を示す手首用の電子血圧計の構成を示すブロック図である。
　この電子血圧計は、脈波センサ１と、検出された脈波をデジタル信号に変換するＡ／Ｄ変換器２と、血圧測定のための処理を実行するＭＰＵ（マイクロプロセッサ・ユニット）３と、測定した血圧値、脈拍数等を表示する表示器４と、他の回路各部に電源電圧を供給する電源回路５と、電源スイッチ６と、スタートスイッチ７と、報知用のブザー９と、メモリ１０と、測定部位の高さを検出する心音センサ１６と、心音センサ１６で検出される心音信号の雑音成分を除去する雑音除去フィルタ１７と、記憶スイッチ１８とを備えている。
　【００１３】
　この電子血圧計を用いて血圧を測定する場合は、測定開始前に手首に本体１２を装着した状態で、図７に示すように測定者の心臓の位置１５に、電子血圧計の本体１２の高さを合わせる。合わせるためには、心音センサ１６で心臓付近の心音の強さをサーチし、ピーク点Ｌｐを検出した時（図８参照）、その位置が心臓位置である。ピーク点を検出した時は、表示器４に表示するか、あるいはブザー９で発音報知する。
　【００１４】
　また、測定の再現性を追求する場合には、初回測定時にピーク点Ｌｐの心音の強さの値を記憶スイッチ１８を押し、メモリ１０に記憶しておき、次回測定時は、その値となった位置で血圧測定を行う。
　測定部位が正しい位置、つまり心臓位置に合わせれば、スタートスイッチ７をオンして、血圧測定の処理を開始する。血圧測定処理は従来の電子血圧計と特に変わるところはない。
　【００１５】
　この実施例電子血圧計によれば、測定部位に心音の強さを検出するとしたので、心音の強さのピーク位置を検出し、報知することにより、心臓と同じ高さに合わせることができ、精度良く血圧を測定することができる。心音の強さを定量化し、表示・記憶することにより、毎回、同じ高さに合わせることが容易となり、測定の再現性が良くなる。心音の強さを検出する箇所が一箇所であるため、回路構成が簡単である。上記の構成により、基板を収めるケース１つにすることができるという効果が得られる。
　【００１６】
　なお、上記実施例では脈波センサで脈波情報を抽出しているが、カフの空気圧に重畳される脈波成分をカフ圧から抽出する電子血圧計にも本発明を適用できる。
　また、上記実施例は手首用電子血圧計について説明したが、この発明は測定部位が自由に動く電子血圧計、例えば指用電子血圧計にも適用できる。
　【００１７】
　【発明の効果】
　この発明によれば、
検出した測定部位の高さ
可否
【図面の簡単な説明】
　【図１】
　この発明の一実施例手首用の電子血圧計の構成を示すブロック図である。
　【図２】
　血圧測定における測定部位の傾きと、測定部位と心臓の高さの関係を説明する図である。
　【図３】
　測定部位の傾きと高さの差の関係を示す図である。
　【図４】
　高さの差と誤差との関係を示す図である。
　【図５】
　上記実施例手首用電子血圧計の動作を説明するためのフローチャートである。
　【図６】
　この発明の他の実施例手首用電子血圧計の構成を示すブロック図である。
　【図７】
　測定部位を心臓位置に合わせるための説明図である。
　【図８】
　測定部位の高さと心音の強さとの関係を示す図である。
　【符号の説明】
　１　　脈波センサ
　３　　ＭＰＵ
　４　　表示器
　８　　傾きセンサ
　９　　ブザー